(57)【要約】【課題】相対移動する光学ユニットに対してフレキシブル基板を長手方向、回転方向、幅方向および厚さ方向に位置ずれしないように固定することができるフレキシブル基板の固定構造を提供する。【解決手段】このフレキシブル基板の固定構造は、光学ユニットに設けられた駆動手段と、光学ユニットに対して光軸方向に相対的に移動可能に配置され、駆動手段を制御する制御手段と、を電気的に接続するフレキシブル基板８１を光学ユニットのホール素子保持枠８４に固定する。その際、フレキシブル基板８１の幅方向の両側部に被係止部８１ｃを設けるとともに、ホール素子保持枠８４にフレキシブル基板８１を挟んだ状態で被係止部８１ｃを係止する係止部８４ａを設ける。【選択図】図３
2008065179.tif 000002
【特許請求の範囲】
【請求項１】
駆動ユニットに設けられた駆動手段と、前記駆動ユニットに対して光軸方向に相対的に移動可能に配置され、前記駆動手段を制御する制御手段と、を電気的に接続するフレキシブル基板を前記駆動ユニットに固定する構造であって、
前記フレキシブル基板の幅方向の両側部に被係止部を設けるとともに、前記駆動ユニットに前記フレキシブル基板を挟んだ状態で前記被係止部を係止する係止部を設けた、
ことを特徴とするフレキシブル基板の固定構造。
【請求項２】
前記フレキシブル基板の前記被係止部は、前記駆動ユニットの前記係止部に対して凹凸嵌合により係止される、
ことを特徴とする請求項１に記載のフレキシブル基板の固定構造。
【請求項３】
前記フレキシブル基板の前記被係止部が、該フレキシブル基板の長手方向に互いに離間して設けられた２つの凸部間に形成される被係止凹部であり、前記駆動ユニットの前記係止部が、該被係止凹部を係止する係止凸部である、
ことを特徴とする請求項１又は２に記載のフレキシブル基板の固定構造。
【請求項４】
前記係止凸部の先端に、前記フレキシブル基板の厚さ方向の動きを規制する爪部を設けた、
ことを特徴とする請求項３に記載のフレキシブル基板の固定構造。
【請求項５】
前記係止凸部の両側面がテーパ面とされ、前記被係止凹部の両側面が前記係止凸部のテーパ面とテーパ角度が異なるテーパ面とされている、
ことを特徴とする請求項３又は４に記載のフレキシブル基板の固定構造。
【請求項６】
前記被係止凹部の両側に配置された前記２つの凸部の突出量を互いに異ならせ、該突出量が小さい凸部側の前記フレキシブル基板の幅を部分的に狭くした、
ことを特徴とする請求項３〜５のいずれか一項に記載のフレキシブル基板の固定構造。
【請求項７】
前記駆動ユニットが、ホール素子を有する防振ユニットを含む光学ユニットである、
ことを特徴とする請求項１〜６のいずれか一項に記載のフレキシブル基板の固定構造。
【発明の詳細な説明】
【技術分野】
【０００１】
本発明は、例えば、カメラ、デジタルカメラ、ビデオカメラなどの光学装置のレンズ鏡筒において、光軸方向に移動するレンズ群（駆動ユニット）の保持枠にフレキシブル基板を取り付ける際のフレキシブル基板の固定構造に関する。
【背景技術】
【０００２】
従来のフレキシブル基板の固定構造としては、例えば、図１１に示すように、フレキシブル基板１００の幅方向の片側に溝１０１を設け、該溝１０１に係合部材１０２を入り込ませたものがある。この係合部材１０２でフレキシブル基板１００の幅方向および長手方向の動きを規制することにより、フレキシブル基板１００を固定している（特許文献１参照）。
【０００３】
また、図１２に示すように、リジット基板１０３にフレキシブル基板１００を通す切り欠き部１０４を設け、切り欠き部１０４の両側縁に設けた係合凸部１０５にフレキシブル基板１００の両側に設けた被係合凸部１０６を引っ張り方向に係合させるものがある（特許文献２参照）。
【特許文献１】特開平０８−２７１７７９号公報
【特許文献２】特開平０８−１０２５７５号公報
【発明の開示】
【発明が解決しようとする課題】
【０００４】
しかし、上記特許文献１では、フレキシブル基板１００の幅方向の片側に設けた溝１０１にしか係合部材１０２が係合しないため、フレキシブル基板１００の規制が不十分である。
【０００５】
このため、係合部材１０２を動かした場合に、フレキシブル基板１００が該フレキシブル基板１００の長手方向を軸とした回転方向に動いて係合位置からずれてしまう虞れがある。
【０００６】
一方、上記特許文献２では、フレキシブル基板１００の被係合凸部１０６がリジット基板１０３の係合凸部１０５に対して引っ張り方向にしか係合しないため、フレキシブル基板１００が押し込み方向に動いてしまう。
【０００７】
このため、レンズ鏡筒内の移動レンズ群等の光学ユニットに適用する場合には、移動レンズ群の光軸方向の移動によってフレキシブル基板１００が押し込み方向に移動して係合位置からずれてしまう。
【０００８】
そこで、本発明は、相対移動する駆動ユニットに対してフレキシブル基板を長手方向、回転方向、幅方向および厚さ方向に位置ずれしないように固定することができるフレキシブル基板の固定構造を提供することを目的とする。
【課題を解決するための手段】
【０００９】
上記目的を達成するために、本発明のフレキシブル基板の固定構造は、駆動ユニットに設けられた駆動手段と、前記駆動ユニットに対して光軸方向に相対的に移動可能に配置され、前記駆動手段を制御する制御手段と、を電気的に接続するフレキシブル基板を前記駆動ユニットに固定する構造であって、前記フレキシブル基板の幅方向の両側部に被係止部を設けるとともに、前記駆動ユニットに前記フレキシブル基板を挟んだ状態で前記被係止部を係止する係止部を設けた、ことを特徴とする。
【発明の効果】
【００１０】
本発明によれば、フレキシブル基板の幅方向の両側部に設けた被係止部が駆動ユニットに設けた係止部に幅方向に挟まれた状態で係止される。これにより、相対移動する駆動ユニットに対してフレキシブル基板を長手方向、回転方向、幅方向および厚さ方向に位置ずれしないように固定することができる。
【発明を実施するための最良の形態】
【００１１】
以下、本発明の実施の形態の一例を図を参照して説明する。
【００１２】
図１は本発明の実施の形態の一例であるフレキシブル基板の固定構造を説明するための斜視図、図２はＩＳフレキシブル基板とＩＳユニットのホール素子保持枠との固定構造を説明するための断面図である。図３は図２に示すＩＳフレキシブル基板を展開した状態を示す図、図４はホール素子保持枠を光軸方向から見た一部を破断した図、図５はデジタルカメラのレンズ鏡筒の沈胴状態の断面図、図６はデジタルカメラのレンズ鏡筒のワイド状態の断面図である。図７はデジタルカメラのレンズ鏡筒のテレ状態の断面図、図８および図９はＩＳユニットの動作を説明するための図、図１０はデジタルカメラの制御ブロック図である。
【００１３】
まず、図５〜図７を参照して、デジタルカメラのレンズ鏡筒について説明する。
【００１４】
このレンズ鏡筒は、固定筒１、駆動筒２、カバー筒３、１群レンズ鏡筒４、移動カム筒５、および直進筒６を備えており、直進筒６の内側に２群レンズ鏡筒７および３群ユニット８が配置されている。
【００１５】
固定筒１の内面には、カム溝１ａおよび直進溝が形成されている。駆動筒２は固定筒１の内側で回転駆動され、外周部にギヤ２ａが一体に設けられている。駆動筒２の内面には、カム溝２ｃが形成されている。また、駆動筒２には、ＩＳフレキシブル基板８１、ＳＨフレキシブル基板９３、が通る穴２ｂと、移動カム筒５のカムピン５ｄをガイドする直進溝が形成されている。
【００１６】
駆動筒２のギヤ２ａには、減速機構（不図示）を介してＰＺモーター１４の動力が伝達され、ＰＺモーター１４を駆動することにより駆動筒２が回転する。カバー筒３は、図６に示すワイド状態、図７に示すテレ状態およびその間のズーム領域での撮影時に内側の１群レンズ鏡筒４および移動カム筒５を保護するための化粧筒である。
【００１７】
カバー筒３の外面には、不図示のカムピンと直進キーとが設けられている。カバー筒３の内面には、直進溝３ａが形成されている。カバー筒３の直進キーは駆動筒２の側面の穴を貫通して固定筒１の直進溝に沿って光軸方向にガイドされ、かつカバー筒３のカムピンが駆動筒２のカム溝２ｃに沿って動くことにより、カバー筒３は回転することなく光軸方向に移動する。
【００１８】
１群レンズ鏡筒４は、１群レンズを保持し、沈胴状態ではバリア羽根４１により１群レンズを保護し、撮影状態ではバリア開きスプリング４２の作用によりバリア羽根４１を収納する。１群レンズ鏡筒４の外面側には直進キー４ａが設けられ、１群レンズ鏡筒４の内面には不図示の直進溝とカムピンとが設けられている。直進キー４ａは、カバー筒３の直進溝３ａに沿って回転することなく光軸方向に移動する。
【００１９】
移動カム筒５は、外面側にカム溝５ａが形成され、内面側にカム溝５ｂ，５ｃが形成されている。また、移動カム筒５には、カムピン５ｄ（図６参照）が一体に設けられている。カムピン５ｄは、駆動筒２の直進溝を貫通して回転方向にガイドされ、かつ固定筒１のカム溝１ａに沿って移動する。これにより、移動カム筒５は、駆動筒２が回転することにより、駆動筒２と一体に回転しながら光軸方向に直進移動する。このとき、１群レンズ鏡筒４の内側の不図示のカムピンが外側の移動カム５のカム溝５ａに沿って動くため、１群レンズ鏡筒４が光軸方向に移動する。
【００２０】
直進筒６は、直進キー６ａおよび直進溝６ｂ，６ｃを有し、直進キー６ａが１群レンズ鏡筒４の直進溝４ｂに沿って光軸方向に移動する。また、２群レンズ鏡筒７にはカムピン（不図示）および直進キー７ｂが一体に形成され、３群ユニット８には、３群ベース部材８３にカムピン８３ａおよび直進キー８３ｂが一体に形成されている。
【００２１】
そして、２群レンズ鏡筒７のカムピン、３群ユニット８のカムピン８３ａが移動カム筒５のカム溝５ｂ，５ｃに沿って移動し、かつ２群レンズ鏡筒７の直進キー７ｂ、３群ユニット８の直進キー８３ｂが直進筒６の直進溝６ｂ，６ｃに沿って移動する。これにより、２群レンズ鏡筒７および３群ユニット８は回転することなく光軸方向に移動する。
【００２２】
３群ユニット８には、シャッター機構、絞り機構、ＮＤフィルターを含むＳＨユニット、シフトレンズである３群レンズをシフト駆動するＩＳユニット（図１参照）が一体に設けられている。
【００２３】
ＳＨユニット側には、シャッター機構を駆動するアクチュエータ９４、絞り機構のアクチュエータであるモーター９５、絞り羽根９６、シャッター羽根９７、ＮＤフィルター９８、ＮＤフィルターを駆動するアクチュエータ９９が設けられている。ＳＨユニットはＳＨフレキシブル基板９３を介して制御基板（不図示）に接続され、ＩＳユニットはＩＳフレキシブル基板８１を介して制御基板（不図示）に接続される。
【００２４】
次に、図８および図９を参照して、ＩＳユニットについて説明する。
【００２５】
図８に示すように、３群ユニット（光学ユニット）８の３群レンズ保持枠８２には、３群レンズ８０が保持されている。３群レンズ保持枠８２と３群ベー図部材８３との間は、引っ張りスプリング８９，９０によって径方向に連結されている。２つの引っ張りスプリング８９は、３群レンズ保持枠８２を径方向外方に付勢しており、３群レンズ保持枠８２の光軸周りの回転を防止している。
【００２６】
また、２つの引っ張りスプリング８９は、３群レンズ８０の光軸方向に傾けられて配置されている。２つの引っ張りスプリング８９と光軸方向と平行に配置された引っ張りスプリング９０とにより、図５を参照して、光軸方向にボール９１を間挟んで３群レンズ保持枠８２を３群ベース部材８３に対して片寄せしている。そして、挟まれたボール９１が転がることにより３群レンズ保持枠８２は光軸と直交する方向に移動することができ、これにより、３群レンズ８０を光軸からシフトさせることができる。
【００２７】
ホール素子８６は、ＩＳフレキシブル基板８１上に実装されている素子であり、周方向に互いに９０°離間して２箇所配置され、ＩＳフレキシブル基板８１を介して不図示の制御基板に接続されている。制御基板は、後述するＣＰＵや信号処理回路などが実装されたデジタルカメラ全体の制御をする制御装置である。また、ＩＳフレキシブル基板８１はホール素子保持枠８４に固定されている。ホール素子保持枠８４は、３群レンズ保持枠８２を間に挟んで３群ベース部材８３にビス止め固定されている。
【００２８】
３群レンズ保持枠８２には、ホール素子８６をＮ極とＳ極とで挟むように着磁されたマグネット８７とヨーク８８とが設けられており、ヨーク８８の穴から漏れてくる磁界を２つのホール素子８６の出力として制御基板で検出する。図９に示すように、３群レンズ保持枠８２が移動すると、ホール素子８６を通る磁界が変化し、これにより、ホール素子出力が変化して、３群レンズ保持枠８２の位置を検出することができる。
【００２９】
また、図５〜図７に示すように、マグネット８７のヨーク８８の光軸方向の反対側にはコイル９２が配置されており、コイル９２は３群ベース部材８３に取り付けられている。コイル９２はＩＳフレキシブル基板８１を介して不図示の制御基板に接続され、コイル９２に電流を流すことにより電磁力が発生して、３群レンズ保持枠８２を動かすことができる。
【００３０】
以上、３群ユニット８のＩＳユニットについて説明したが、ズーム動作で３群ユニット８が光軸方向に移動すると、図７のテレ状態の場合には３群ユニット８が被写体側に繰り出される。そして、ＩＳフレキシブル基板８１の３群ユニット８の取付側は弾性力により被写体の反対方向に引っ張られる。一方、図６のワイド状態や図５の沈胴状態では、ＩＳフレキシブル基板８１の３群ユニット８に取り付けられたホール素子８６側は逆にＩＳフレキシブル基板８１の弾性力により被写体側に押されることになる。
【００３１】
また、ＩＳフレキシブル基板８１のホール素子８６の取り付け部は、図５〜図７に示すように、ホール素子保持枠８４に形成された穴を通って９０°曲げられてプレート８５で押えられている。
【００３２】
しかし、ＩＳフレキシブル基板８１が曲げ部付近で、図５〜図７の上下方向に動くことによってＩＳフレキシブル基板８１の弾性力の影響を受けると、ホール素子８６の位置が光軸方向に微妙に変化してしまう可能性がある。ホール素子８６とマグネット８７とのギャップが微妙に変化すると、ホール素子８６の出力が変化するため、３群レンズ保持枠８２が移動したと誤検知してしまう。
【００３３】
そこで、本実施の形態では、次のようにして誤検知を防止する。
【００３４】
まず、図２および図３に示すように、ＩＳフレキシブル基板８１の幅方向の両側部に、該フレキシブル基板８１の長手方向に互いに離間する２つの凸部８１ａ，８１ｂを設けて、各凸部８１ａ，８１ｂ間に被係止凹部８１ｃを形成する。
【００３５】
被係止凹部８１ｃの両側に配置された２つの凸部８１ａ，８１ｂは突出量が互いに異なっており、該突出量が小さい凸部８１ａ側のＩＳフレキシブル基板８１の幅は部分的に狭くなって組み込み部８１ｄとされている。
【００３６】
ホール素子８６は、ホール素子実装部８１ｈに半田付けされる。なお、図３において符号８１ｅは、ホール素子８６の位置決め部である。また、符号８１ｆは、コイル端子部であり、図２に示すように、ホール素子保持枠８４、マグネット８７をまたいで、３群ベース部材８３に固定されているコイル９２の端子をマグネット８７と逆側から半田付けされて配線される。
【００３７】
ホール素子保持枠８４には、ＩＳフレキシブル基板８１側の被係止凹部８１ｃを幅方向の両側から挟み込んだ状態で係止する係止凸部８４ａが設けられている。係止凸部８４ａの先端には、ＩＳフレキシブル基板８１の厚さ方向の動きを規制する爪部８４ｂ（図４参照）が設けられている。
【００３８】
係止凸部８４ａの両側部はテ−パ面とされ、被係止凹部８１ｃの両側部もテーパ部とされている。被係止凹部８１ｃのテーパ部に係止凸部８４ａのテーパ面がＩＳフレキシブル基板の長手方向に挟まれた状態で、被係止凹部８１ｃが係止凸部８４ａに係止される。
【００３９】
ここで、被係止凹部８１ｃのテーパ部は、係止凸部８４ａのテーパ面よりテーパ角が小さく設定されている。これにより、被係止凹部８１ｃが係止凸部８４ａに強固に係止されフレキシブル基板８１をコネクタ側から引っ張っても係止位置の反対側には力が伝わらないようになっている。
【００４０】
また、被係止凹部８１ｃの両側の２つの凸部８１ａ，８１ｂは、凸部８１ａの突出量が凸部８１ｂの突出量より小さくなっている。これにより、フレキシブル基板８１の弾性を利用して、前述の組み込み部８１ｄを爪８４ｂの間に通した後に、凸部８１ａを変形させて係止凸部８４ａを乗り越えさせる。
【００４１】
これにより、被係止凹部８１ｃが係止凸部８４ａに係止され、位置決め状態となる。このとき、ＩＳフレキシブル基板８１の組み込み部８１ｄが他の部分より幅狭となっているので、ホール素子保持枠８４の爪８４ｂの間を通し易くすることができる。
【００４２】
このように、ＩＳフレキシブル基板８１の被係止凹部８１ｃがホール素子保持枠８４の係止凸部８４ａに幅方向の両側から挟まれた状態で係止され、かつ爪部８４ｂによってＩＳフレキシブル基板８１の厚さ方向の動きが規制されている。
【００４３】
これにより、ズーム動作で３群ユニット８が光軸方向に移動した際に、ＩＳフレキシブル基板８１が弾性変形して図５〜図７の上下方向に動いた場合でも、該動きがＩＳフレキシブル基板８１のホール素子実装部８１ｈまで伝達されるのを回避することができる。この結果、ホール素子８６が３群ユニット８内で動くことを防止することができ、誤検知を防止することができる。
【００４４】
なお、図５〜図７において、符号１０はＣＣＤホルダーであり、ＣＣＤホルダー１０は撮像素子であるＣＣＤと光学ＬＰＦを保持し、固定筒１に不図示のビスを介して固定されてレンズ鏡筒全体の外枠を構成している。また、ＣＣＤホルダー１０から延びるガイド軸には、４群レンズ鏡筒９がガイド軸に沿って光軸方向に移動可能に軸支されており、４群レンズ鏡筒９は、不図示のＡＦモーターの回転によりスクリュー・ナット機構を介して光軸方向に移動する。また、４群レンズ鏡筒９は、不図示のフォトインタラプタによるリセット手段で特定のリセット位置でリセット検出される。
【００４５】
次に、図１０を参照して、図１〜図９で説明したレンズ鏡筒が装着されるデジタルカメラの制御系について説明する。
【００４６】
デジタルカメラは、ＣＰＵ１０１、信号処理回路１０２、電源制御手段１０３、操作手段１０４、スピーカ１０５、ＬＣＤ１０６、および信号出力端子１０７を備える。また、デジタルカメラは、記録手段１０８、マイク１０９、ストロボ１１０、通信端子１１１、角速度センサー−１１２、および撮像装置１１３を備える。
【００４７】
撮像装置１１３において、撮像素子１１４は、レンズにより結像された像を光電変換して映像信号として出力するＣＣＤから構成される。シャッター駆動手段１２０は、シャッターの開閉を行う。絞り駆動手段１１９は、絞り機構を駆動する。ＡＦリセット手段１１７は、ＡＦ動作をリセットする。ＡＦモーター１１８は、フォーカスレンズを駆動する。ＰＺリセット手段１１５は、ズーム動作をリセットする。ＰＺモーター１１６は、その回転によりカム環を回転させ、ズーム駆動を行う。
【００４８】
ＣＰＵ１０１は、デジタルカメラ全体を制御する。信号処理回路１０２は、撮像素子１１４から出力される映像信号に対し、増幅、Ａ／Ｄ変換、γ処理、圧縮、Ｄ／Ａ変換、ＡＦ評価値の生成等の各種の処理を行う。マイク１０９は、音声を電気信号に変換して、信号処理回路１０２に入力する。ＬＣＤ１０６は、撮影画像を表示する。信号出力端子１０７は、デジタルカメラ外部のモニタ等の機器に画像や音声を出力するための端子である。スピーカ１０５は、音声を出力する。
【００４９】
信号処理回路１０２で信号処理された信号が、ＬＣＤ１０４、スピーカ１０６、信号出力端子１０７からそれぞれ画像音声出力として再生され、出力される。操作手段１０４は、デジタルカメラを操作するための、電源スイッチ、ズームキー、レリーズボタン等の各種操作部材から構成される。記録手段１０８は、静止画及び動画の画像データや音声などを記録する交換可能なメモリメディアである。
【００５０】
通信端子１１１は、外部機器と通信を行うための端子である。電源制御部１０３は、バッテリ、ＤＣ／ＤＣコンバータ、制御回路、バッテリチェック回路等から構成される。バッテリは、デジタルカメラ全体に電源の供給を行う。ＤＣ／ＤＣコンバータは、各部に供給する電圧を変換して作り出す。制御回路は、各部に供給される電圧／電流の制御を行う。バッテリチェック回路は、バッテリチェックのための電圧測定を行う。
【００５１】
本実施の形態のデジタルカメラは、ユーザによる操作手段１０４からの電源オフ操作時に、レンズ鏡筒が短くなり、デジタルカメラ本体に収納される沈胴式になっている。
【００５２】
電源オン操作された場合には、ＰＺモーター１１６が回転し、減速機構（不図示）により減速された後、カム環が回転し、ワイド（広角側）の繰り出し状態になる。その繰り出しの途中で、ＰＺリセット手段１１５によりズームをリセットする。これにより、ＣＰＵ１０１は、その後のＰＺモーター１１６の通電パルスをカウントすることにより、常にレンズの位置を把握することができる。
【００５３】
電源オフ操作された場合には、上記とは逆に、ＰＺモーター１１６が逆転し、カム環が逆転し沈胴する。繰り出し状態で、操作手段１０４の上記ズームキーによるワイド（広角側）、テレスコープ（望遠側）操作がなされた場合には、ＰＺモーター１１６が回転し、カム環がワイド（広角側）−テレスコープ（望遠側）間で回転する。これにより、デジタルカメラのズーム動作が行われる。
【００５４】
角速度センサー１１２は、デジタルカメラ本体が手振れにより動くことにより生ずる角速度を検出する。検出された角速度により撮影される画面が振れる量に対応したシフトレンズ群のシフト量をＣＰＵ１０１で演算する。その演算結果に基づきシフト駆動手段１２２によりシフトレンズ群を駆動し、その駆動量をシフト検出手段１２１で検出してフィードバック制御する。
【００５５】
動画を撮影する場合は、ＣＰＵ１０１は、信号処理回路１０２で撮像素子１１３からの映像信号に処理を施した信号を基にＡＥ（Auto  Exposure）処理を行って露出を決め、絞り駆動手段１１９を駆動して絞り値を決定する。また、同時に、ＣＰＵ１０１は、ＡＦ評価値をチェックし、ＡＦ評価値が低い場合にはＡＦモーター１１８を低速で駆動し、ＡＦ評価値の高い位置にフォーカスレンズ１を移動させ停止させる。これらの動作は、動画撮影中に行ってもよく、各アクチュエータを必ずしも停止させなくてもよい。
【００５６】
静止画を撮影する場合は、ユーザが操作手段１０４のレリーズボタンを押すと、まず、ＣＰＵ１０１は、ＡＦリセット部１１７及びＡＦモーター１１８を駆動し、レンズを通した被写体像のピントが合うように制御する。次に、ＣＰＵ１０１は、撮像素子１１３の出力を基にＡＥ処理を行い、適正な露光量となる絞り値とシャッタースピードを決定し、絞り駆動手段１１９を駆動して適正な露光量になるように絞りを制御する。
【００５７】
次に、ＣＰＵ１０１は、撮像素子１１３をリセットして光電変換により電荷の蓄積を開始し、シャッター駆動手段１１４により上記ＡＥ処理で決定したシャッタースピードになるようにシャッターを閉じる制御を行う。露光量が足りない場合には、ＣＰＵ１０１は、電荷蓄積開始からシャッターが開いている時間内にストロボ１１０を発光させる。ＣＰＵ１０１は、撮影された映像信号を信号処理回路１０２で処理し、処理された静止画データを記録手段１０８に記録する。
【００５８】
以上説明したように、本実施形態では、ＩＳフレキシブル基板８１の被係止凹部８１ｃがホール素子保持枠８４の係止凸部８４ａに幅方向の両側から挟まれた状態で係止され、かつ爪部８４ｂによってＩＳフレキシブル基板８１の厚さ方向の動きが規制されている。
【００５９】
これにより、相対移動する３群ユニット８に対してＩＳフレキシブル基板８１を長手方向、回転方向、幅方向および厚さ方向に位置ずれしないように固定することができる。
【００６０】
この結果、上述したように、ズーム動作で３群ユニット８が光軸方向に移動した際に、ＩＳフレキシブル基板８１が弾性変形して図５の上下方向に動いた場合でも、該動きがホール素子実装部８１ｈまで伝達されるのを回避することができる。即ち、ズーム動作時に、ホール素子８６が３群ユニット８内で動くことを防止して、誤検知をなくすことができる。
【００６１】
なお、本発明は上記実施の形態に例示したものに限定されるものではなく、本発明の要旨を逸脱しない範囲において適宜変更可能である。
【００６２】
例えば、ＳＨユニット側のＳＨフレキシブル基板９３にＩＳフレキシブル基板８１の被係止凹部８１ｃと同様に、２つの凸部９３ａ，９３ｂ間に被係止凹部９３ｃを形成して、ホール素子保持枠８４の係止凸部８４ａに係止することができる。
【００６３】
また、上記実施の形態では、フレキシブル基板により機器の一部の相対移動する部分と他の固定部分とを電気的に接続されるような機器に応用できる可能性がある。
【図面の簡単な説明】
【００６４】
【図１】本発明の実施の形態の一例であるフレキシブル基板の固定構造を説明するための斜視図である。
【図２】ＩＳフレキシブル基板とＩＳユニットのホール素子保持枠との固定構造を説明するための断面図である。
【図３】図２に示すＩＳフレキシブル基板を展開した状態を示す図である。
【図４】ホール素子保持枠を光軸方向から見た一部を破断した図である。
【図５】デジタルカメラのレンズ鏡筒の沈胴状態の断面図である。
【図６】デジタルカメラのレンズ鏡筒のワイド状態の断面図である。
【図７】デジタルカメラのレンズ鏡筒のテレ状態の断面図である。
【図８】ＩＳユニットの動作を説明するための図である。
【図９】ＩＳユニットの動作を説明するための図である。
【図１０】デジタルカメラの制御ブロック図である。
【図１１】従来のフレキシブル基板の固定構造を説明するための図である。
【図１２】従来のフレキシブル基板の固定構造を説明するための図である。
【符号の説明】
【００６５】
８      ３群ユニット（光学ユニット）
８０    ３群レンズ
８１    ＩＳフレキシブル基板
９３    ＳＨフレキシブル基板
８１ａ  凸部
８１ｂ  凸部
８１ｃ  被係止凹部
８２    ３群レンズ保持枠
８３    ３群ベース部材
８４    ホール素子保持枠
８４ａ  係止凸部
８４ｂ  爪部
【図１】
2008065179.tif 000003
【図２】
2008065179.tif 000004
【図３】
2008065179.tif 000005
【図４】
2008065179.tif 000006
【図５】
2008065179.tif 000007
【図６】
2008065179.tif 000008
【図７】
2008065179.tif 000009
【図８】
2008065179.tif 000010
【図９】
2008065179.tif 000011
【図１０】
2008065179.tif 000012
【図１１】
2008065179.tif 000013
【図１２】
2008065179.tif 000014